(57)【要約】【課題】連続スキップ動作時に、表示を用いることなく、再生順序が最初の音声コンテンツや所望の再生順序の音声コンテンツを選択可能とする。【解決手段】連続スキップ動作が行われて、再生順序が最初である１曲目ＭＣ１が選択されたとき、再生順序が最初とされている音声コンテンツが選択されたことを判別可能とする識別音ＳＵftを出力する。識別音ＳＵftを聞き取ることで、表示を用いることなく最初の曲が選択されたことを判別できる。１曲目ＭＣ１が選択されたときスキップを停止して、曲ＭＣ１の再生動作を開始することで、１曲目が選択されことを確実に判別できる。連続スキップ動作が行われて、２曲目ＭＣ２以降の曲が選択される毎に、識別音ＳＵftと異なる切換音ＳＵmcを出力する。この切換音ＳＵmcの出力回数をカウントして、所望の再生順序の曲を選択できる。【選択図】        図４
2005078772.tif 000002
【特許請求の範囲】
【請求項１】
記録媒体に記録されている再生順序が決められた複数の音声コンテンツを再生する再生手段と、
前記再生手段で再生させる音声コンテンツをスキップするために操作される操作手段と、
前記操作手段の操作に応じて、前記音声コンテンツのスキップを前記再生順序あるいは前記再生順序の逆順序で循環して行い、新たに選択された音声コンテンツを前記再生手段で再生させる制御手段と、
音声出力手段を有し、
前記制御手段は、前記操作手段によって音声コンテンツを連続してスキップさせる操作が行われて、再生順序が最初とされている音声コンテンツが選択されたとき、前記音声出力手段から前記再生順序が最初とされている音声コンテンツが選択されたことを判別可能とする識別音を出力させる
ことを特徴とする音声再生装置。
【請求項２】
前記制御手段は、前記再生順序が最初とされている音声コンテンツが選択されたとき、前記音声コンテンツのスキップを停止して、該音声コンテンツを前記再生手段で再生させる
ことを特徴とする請求項１記載の音声再生装置。
【請求項３】
前記制御手段は、前記音声コンテンツのスキップを行い、前記再生順序が最初とされている音声コンテンツと異なる音声コンテンツが新たに選択される毎に、前記識別音と異なる切換音を前記音声出力手段から出力させる
ことを特徴とする請求項１記載の音声再生装置。
【請求項４】
記録媒体に記録されている再生順序が決められた複数の音声コンテンツを再生する再生手段と、
前記再生手段で再生させる音声コンテンツをスキップするために操作される操作手段と、
前記操作手段の操作に応じて、前記音声コンテンツのスキップを前記再生順序あるいは前記再生順序の逆順序で循環して行い、新たに選択された音声コンテンツを前記再生手段で再生させる制御手段と、
音声出力手段を有し、
前記制御手段は、前記操作手段によって音声コンテンツを連続してスキップさせる操作が行われて、再生順序が最初とされている音声コンテンツが選択されたとき、前記音声コンテンツのスキップを停止して、該音声コンテンツを前記再生手段で再生させる
ことを特徴とする音声再生装置。
【請求項５】
記録媒体に記録されている再生順序が決められた複数の音声コンテンツを再生する音声再生方法において、
前記再生させる音声コンテンツを、前記再生順序あるいは前記再生順序の逆順序で循環しながら連続してスキップさせる操作が行われたか否かを判別する第１の判別工程と、
前記第１の判別工程で、前記音声コンテンツを連続してスキップさせる操作が行われたと判別された場合、前記再生順序あるいは前記再生順序の逆順序で循環して前記音声コンテンツのスキップを行い、再生順序が最初とされている音声コンテンツが選択されたとき、前記再生順序が最初とされている音声コンテンツが選択されたことを判別可能とする識別音を出力する識別音出力工程を設けた
ことを特徴とする音声再生方法。
【請求項６】
前記再生順序が最初とされている音声コンテンツが選択されたとき、前記音声コンテンツのスキップを停止して、該音声コンテンツを前記再生する再生工程を設けた
ことを特徴とする請求項５記載の音声再生方法。
【請求項７】
前記音声コンテンツのスキップを行い、前記再生順序が最初とされている音声コンテンツと異なる音声コンテンツが新たに選択される毎に、前記識別音と異なる切換音を出力させる切換音出力工程を設けた
ことを特徴とする請求項５記載の音声再生方法。
【請求項８】
記録媒体に記録されている再生順序が決められた複数の音声コンテンツを再生する音声再生方法において、
前記再生させる音声コンテンツを、前記再生順序あるいは前記再生順序の逆順序で循環しながら連続してスキップさせる操作が行われたか否かを判別する第１の判別工程と、
前記第１の判別工程で、前記音声コンテンツを連続してスキップさせる操作が行われたと判別された場合、前記再生順序あるいは前記再生順序の逆順序で循環して前記音声コンテンツのスキップを行い、再生順序が最初とされている音声コンテンツが選択されたとき、前記音声コンテンツのスキップを停止して、該音声コンテンツを再生させる再生工程を設けた
ことを特徴とする音声再生方法。
【発明の詳細な説明】
【技術分野】
【０００１】
この発明は、音声再生装置および音声再生方法に関する。詳しくは、記録媒体に記録されている音声コンテンツを再生する場合、連続スキップ動作が行われたときには、再生順序が最初とされている音声コンテンツを示す識別音や音声コンテンツの切り換えが行われたことを示す切換音を出力することで、表示を用いることなく、再生順序が最初の音声コンテンツや所望の再生順序の音声コンテンツを選択可能とするものである。
【背景技術】
【０００２】
従来、記録媒体に記録された楽曲等の音声コンテンツを再生する音声再生装置では、所望のコンテンツを短時間で探すことができるように、スキップ機能が設けられている。このスキップ機能では、音声コンテンツを再生順序方向に進める順方向スキップや、再生順序方向に対して逆方向に進める逆方向スキップが設けられている。さらに、スキップ機能では、連続して音声コンテンツをスキップすることも可能とされている。また、特許文献１では、スキップ指示手段の操作時間に応じて、所定量のスキップを行うものとしたり、所望の位置にスキップさせることが行われている。
【０００３】
【特許文献１】特開平１１−６６８２５号公報
【発明の開示】
【発明が解決しようとする課題】
【０００４】
ところで、スキップ機能を利用して、所望の音声コンテンツを検索する場合、音声再生装置に表示部を設けて、スキップ動作中に選択された音声コンテンツに関する情報を表示部に表示すれば、所望の音声コンテンツが選択されたときにスキップ動作を停止することで、所望の音声コンテンツを容易に再生することができる。しかし、音声再生装置に表示部が設けられていない場合や、音声再生装置が携帯型であるためポケットや鞄等に収納されてしまい、表示部の表示を視認することができない場合、連続して音声コンテンツのスキップを行うと、何番目の音声コンテンツが選択されたか判別することができない。また、何番目の音声コンテンツが再生中であるか判っていないと、所望の音声コンテンツまでのスキップ数も把握することができない。特に、連続スキップ動作によって音声コンテンツの選択が循環して行われると、何番目の音声コンテンツが選択されたか全く判別できない。
【０００５】
そこでこの発明では、連続スキップ動作時に、表示を用いることなく、再生順序が最初の音声コンテンツや所望の再生順序の音声コンテンツを選択可能とする音声再生装置および音声再生方法を提供するものである。
【課題を解決するための手段】
【０００６】
この発明に係る音声再生装置は、記録媒体に記録されている再生順序が決められた複数の音声コンテンツを再生する再生手段と、再生手段で再生させる音声コンテンツをスキップするために操作される操作手段と、操作手段の操作に応じて、音声コンテンツのスキップを再生順序あるいは再生順序の逆順序で循環して行い、新たに選択された音声コンテンツを再生手段で再生させる制御手段と、音声出力手段を有し、制御手段は、操作手段によって音声コンテンツを連続してスキップさせる操作が行われて、再生順序が最初とされている音声コンテンツが選択されたとき、音声出力手段から再生順序が最初とされている音声コンテンツが選択されたことを判別可能とする識別音を出力させるものである。
【０００７】
また、記録媒体に記録されている再生順序が決められた複数の音声コンテンツを再生する再生手段と、再生手段で再生させる音声コンテンツをスキップするために操作される操作手段と、操作手段の操作に応じて、音声コンテンツのスキップを再生順序あるいは再生順序の逆順序で循環して行い、新たに選択された音声コンテンツを再生手段で再生させる制御手段と、音声出力手段を有し、制御手段は、操作手段によって音声コンテンツを連続してスキップさせる操作が行われて、再生順序が最初とされている音声コンテンツが選択されたとき、音声コンテンツのスキップを停止して、該音声コンテンツを再生手段で再生させるものである。
【０００８】
この発明に係る音声再生方法は、記録媒体に記録されている再生順序が決められた複数の音声コンテンツを再生する音声再生方法において、再生させる音声コンテンツを、再生順序あるいは再生順序の逆順序で循環しながら連続してスキップさせる操作が行われたか否かを判別する第１の判別工程と、第１の判別工程で、音声コンテンツを連続してスキップさせる操作が行われたと判別された場合、再生順序あるいは再生順序の逆順序で循環して音声コンテンツのスキップを行い、再生順序が最初とされている音声コンテンツが選択されたとき、再生順序が最初とされている音声コンテンツが選択されたことを判別可能とする識別音を出力する識別音出力工程を設けたものである。
【０００９】
また、記録媒体に記録されている再生順序が決められた複数の音声コンテンツを再生する音声再生方法において、再生させる音声コンテンツを、再生順序あるいは再生順序の逆順序で循環しながら連続してスキップさせる操作が行われたか否かを判別する第１の判別工程と、第１の判別工程で、音声コンテンツを連続してスキップさせる操作が行われたと判別された場合、再生順序あるいは再生順序の逆順序で循環して音声コンテンツのスキップを行い、再生順序が最初とされている音声コンテンツが選択されたとき、音声コンテンツのスキップを停止して、該音声コンテンツを再生させる再生工程を設けたものである。
【００１０】
この発明においては、記録媒体に記録されている再生順序が決められた複数の音声コンテンツを、再生順序あるいは再生順序の逆順序で循環しながら連続してスキップさせる操作が行われて、再生順序が最初とされている音声コンテンツが選択されたとき、再生順序が最初とされている音声コンテンツが選択されたことを判別可能とする識別音や、再生順序が最初とされている音声コンテンツと異なる音声コンテンツが新たに選択される毎に、識別音と異なる切換音が出力される。また、再生順序が最初とされている音声コンテンツが選択されたとき、スキップ動作が停止されて音声コンテンツの再生が行われる。
【発明の効果】
【００１１】
この発明によれば、音声コンテンツを連続してスキップさせる操作が行われて、再生順序が最初とされている音声コンテンツが選択されたとき、再生順序が最初とされている音声コンテンツが選択されたことを判別可能とする識別音が出力される。このため、この識別音を聞き取ることで、表示を用いることなく最初の音声コンテンツが選択されたことを判別できる。また、再生順序が最初とされている音声コンテンツが選択されたとき、音声コンテンツのスキップを停止して、この音声コンテンツの再生が行われるので、さらに確実に、最初の音声コンテンツを判別できる。
【００１２】
また、音声コンテンツのスキップが行われて、再生順序が最初とされている音声コンテンツと異なる音声コンテンツが新たに選択される毎に、識別音と異なる切換音が出力されるので、識別音の出力回数をカウントして、所望の再生順序の音声コンテンツを選択できる。
【発明を実施するための最良の形態】
【００１３】
以下、図を参照しながら、この発明の実施の一形態について説明する。図１は、音声再生装置の構成を示している。この音声再生装置では、記録媒体例えばフラッシュメモリを用いて構成された記録媒体に記録されている音声コンテンツの信号を再生する。この記録媒体は、音声再生装置に対して着脱自在なものであっても良く、また音声再生装置に内蔵されているものであっても良い。
【００１４】
記録媒体１０は、音声コンテンツの信号を例えば圧縮した形態で記録している。また、記録媒体１０には、記録されている音声コンテンツの再生順序を示す情報を有した再生リストや、再生リストに従って音声コンテンツの信号を読み出すための管理情報が記録されている。なお、再生リストや管理情報は、後述する制御部１２に保持させるものとしても良い。
【００１５】
記録媒体１０に記録された音声コンテンツの信号ＤＭは、インタフェース部１１を介して制御部１２によって読み出されて音声再生部１３に供給される。このインタフェース部１１は、記録媒体１０に対応したものであり、記録媒体１０が例えばＵＳＢ(Universal Serial Bus)規格に対応するものであるときは、インタフェース部１１としてＵＳＢインタフェースが用いられる。音声再生部１３は、供給された信号ＤＭの伸長処理を行い、得られたディジタル音声データＤＳをＤ／Ａ変換部１４に供給する。Ｄ／Ａ変換部１４は、音声データＤＳをアナログの音声信号Ｓaに変換して、音声信号出力処理部１５に供給する。音声信号出力処理部１５は、制御部１２から供給された制御信号ＶＣに基づき、音声信号Ｓaの信号レベルを調整して音声出力信号Ｓoutとして音声出力部１６に供給する。音声出力部１６は、スピーカやヘッドホンを用いて構成されており、音声出力信号Ｓoutに基づいて音声出力を行う。
【００１６】
制御部１２には、操作部１７が接続されている。操作部１７は、記録媒体１０に記録されている音声コンテンツの再生動作を開始させる再生釦、再生動作を停止させる停止釦、音声コンテンツを選択するための順方向スキップ釦や逆方向スキップ釦等を有しており、釦操作に応じた操作信号ＰＳを生成して制御部１２に供給する。
【００１７】
制御部１２は、メモリ１２mを有しており、このメモリ１２mには、音声再生装置の動作を制御する制御プログラムが記憶されている。制御部１２は、この制御プログラムを実行して、操作部１７からの操作信号ＰＳに基づき、記録媒体１０から音声コンテンツの選択や選択された音声コンテンツの信号の読み出しを行う。また、制御信号ＶＣを生成して音声信号出力処理部１５に供給し、音声出力信号Ｓoutの信号レベルを調整する。また、メモリ１２mには、音声データＤＴが記憶されており、制御部１２は、この音声データＤＴをメモリ１２mから読み出してＤ／Ａ変換部１４に供給することで、音声コンテンツの切り換えや再生順序が最初とされている音声コンテンツが選択されたことを判別可能とする音声を音声出力部１６から出力させる。さらに、メモリ１２mには、再生リストを記憶することもできるようになされている。
【００１８】
再生リストは、記録媒体１０に音声コンテンツの信号を記録する際に、音声記録装置で生成して記録媒体１０に記録する。あるいは記録媒体１０に記録されている音声コンテンツを音声再生装置で判別して、この判別結果に基づき再生リストを生成して、例えば制御部１２のメモリ１２mに保持させる。なお、記録媒体１０には、音声コンテンツの信号のファイルが記録媒体１０のいずれの位置に記憶されているかを示すＦＡＴ(File Allocation Table)が記録される。
【００１９】
ここで、記録媒体１０に記録されている音楽コンテンツの信号例えば楽曲の信号が、「ＭＰＥＧ１ Audio Layer３」の方式で圧縮した信号で、この信号にＩＤ３タグが付加されているいわゆるＭＰ３のファイルデータとされている場合、このファイルに関する情報やＩＤ３タグの情報を利用して再生リストが生成される。この再生リストは、例えば図２に示すように、楽曲の圧縮データのファイル名とファイルサイズ、記録日時、楽曲の曲名とアルバム名、楽曲のジャンル、再生順序を示す曲順等の情報で構成される。なお、再生リストは、少なくともファイル名と曲順の情報を有するものであれば良い。
【００２０】
次に、音声再生装置で所望の曲を選択する際のスキップ動作について説明する。制御部１２は、操作信号ＰＳに基づき、順方向スキップ釦あるいは逆方向スキップ釦が操作されたと判別すると、図３に示すフローチャートの処理を行う。
【００２１】
ステップＳＴ１では、順方向スキップ釦あるいは逆方向スキップ釦が長押し操作されたか否かを判別する。ここで、釦操作時間が予め設定した時間よりも長いときには、長押し操作が行われたと判別してステップＳＴ２に進む。また、釦操作時間が予め設定した時間よりも長くないときは、ステップＳＴ１４に進む。
【００２２】
ステップＳＴ２では、操作された釦が順方向スキップ釦であるか否かを判別する。ここで、操作された釦が順方向スキップ釦であるときはステップＳＴ３に進む。また、操作された釦が逆方向スキップ釦であるときはステップＳＴ９に進む。
【００２３】
ステップＳＴ３では、再生を行うものとして選択されている曲（以下「再生曲」という）が最終曲であるか否かを判別する。例えば、音声再生装置の動作開始時には１曲目を再生曲とする。また、動作開始後に曲の再生が行われたときは、再生中の曲あるいは最後に再生された曲を再生曲とする。
【００２４】
ここで、再生リストにおいて、再生曲の曲順が最後でないときはステップＳＴ４に進み、最後であるときはステップＳＴ７に進む。
【００２５】
ステップＳＴ４では曲送りを行い、次の曲順の曲を再生リストから選択して、再生曲に設定する。
【００２６】
ステップＳＴ５では、曲の切り換えを示す切換音の音声データＤＴmcをメモリ１２mから読み出してＤ／Ａ変換部１４に供給して、音声出力部１６から切換音ＳＵmcを出力させる。切換音ＳＵmcとしては、例えばビープ音等を用いる。
【００２７】
ステップＳＴ６では、釦操作が終了したか否かを判別する。ここで、釦操作が引き続き行われているときは、ステップＳＴ３に戻る。また、釦操作が終了したときにはステップＳＴ１９に進む。
【００２８】
このように順方向スキップ釦の釦操作を続けると、ステップＳＴ３からステップＳＴ６の処理が繰り返されて、再生リストに示されている曲を曲順方向に選択することができる。
【００２９】
その後、曲順が最後である曲が選択されると、ステップＳＴ３からステップＳＴ７に進む。ステップＳＴ７では、曲順が最初である１曲目を再生曲に設定してステップＳＴ８に進む。
【００３０】
ステップＳＴ８では、１曲目が選択されたことを示す識別音の音声データＤＴftをメモリ１２mから読み出してＤ／Ａ変換部１４に供給して、音声出力部１６から識別音ＳＵftを出力させてステップＳＴ１９に進む。この識別音ＳＵftは、切換音ＳＵmcとの区別が容易となるように設定する。例えば、時間長および／または周波数を、識別音ＳＵftと切換音ＳＵmcとで異なるものとする。また一方の音の周波数を一定として、他方の音の周波数を可変させるものとしても識別音ＳＵftと切換音ＳＵmcと区別できる。さらに、音声データＤＴftに基づき１曲目であることを通知する合成音声を識別音ＳＵftとして出力させるものとしても良い。この場合には、音を区別しなくとも１曲目であることを容易に判別できる。また、切換音ＳＵmcとしては、楽曲の高速再生音等を利用するものとしても良い。例えば、楽曲の先頭部分の信号を読み出して高速再生して短時間出力する。
【００３１】
このように、曲順方向に連続スキップ動作を行った場合、図４Ａに示すように、最終曲「ＭＣ５」までは、曲の切り換え毎に切換音ＳＵmcが出力されるとともに、最初の曲「ＭＣ１」に切り換えられるときには識別音ＳＵftが出力される。このため、識別音ＳＵftに基づいて最初の曲が選択されたことを判別できるとともに、その後の切換音ＳＵmcの回数をカウントすることで、選択した曲が何番目の曲順であるかを判別することができる。
【００３２】
次に、ステップＳＴ２において、操作された釦が逆方向スキップ釦であると判別されてステップＳＴ９に進むと、ステップＳＴ９では曲戻しを行い、曲順が一つ前の曲を再生リストから選択して、再生曲に設定する。
【００３３】
ステップＳＴ１０では、再生曲が１曲目であるか否かを判別する。ここで、再生リストにおいて、再生曲の曲順が最初でないときはステップＳＴ１１に進み、最初であるときはステップＳＴ１３に進む。
【００３４】
ステップＳＴ１１では、曲の切り換えを示す切換音ＳＵmcを音声出力部１６から出力させてステップＳＴ１２に進む。なお、切換音ＳＵmcは、順方向スキップ動作と逆方向スキップ動作で異なるものとすれば、音でスキップ方向を確認できる。例えば順方向スキップ動作では、曲の切り換え毎に切換音ＳＵmcを１回出力し、逆方向スキップ動作では、曲の切り換え毎に切換音ＳＵmcを連続して２回出力すれば、切換音ＳＵmcでスキップ方向を判別できる。ステップＳＴ１２では、釦操作が終了したか否かを判別する。ここで、釦操作が引き続き行われているときは、ステップＳＴ９に戻る。また、釦操作が終了したときにはステップＳＴ１９に進む。
【００３５】
このように逆方向スキップ釦の釦操作を続けると、ステップＳＴ９からステップＳＴ１２の処理が繰り返されて、再生リストに示されている曲を曲順と逆方向に選択することができる。
【００３６】
その後、曲順が最初である１曲目が選択されると、ステップＳＴ１０からステップＳＴ１３に進む。ステップＳＴ１３では、１曲目が選択されたことを示す識別音ＳＵftを音声出力部１６から出力させてステップＳＴ１９に進む。
【００３７】
このように、曲順に対して逆方向に連続スキップ動作を行った場合、図４Ｂに示すように、２曲目の「ＭＣ２」までは、曲の切り換え毎に切換音ＳＵmcが出力されるとともに、２曲目から最初の曲「ＭＣ１」に切り換えられるときには識別音ＳＵftが出力される。このため、識別音ＳＵftに基づいて最初の曲まで曲の切り換えが行われたことを判別できる。
【００３８】
なお、釦操作時間が予め設定した時間よりも長くないときは、ステップＳＴ１からステップＳＴ１４に進み、操作された釦が順方向スキップ釦であるか否かを判別する。ここで、操作された釦が順方向スキップ釦であるときはステップＳＴ１５に進む。また、操作された釦が逆方向スキップ釦であるときはステップＳＴ１８に進む。
【００３９】
ステップＳＴ１５では、再生曲が最終曲であるか否かを判別する。ここで、再生曲の曲順が最後でないときはステップＳＴ１６に進み、最後であるときはステップＳＴ１７に進む。
【００４０】
ステップＳＴ１６では曲送りを行い、次の曲順の曲を再生リストから選択して、再生曲に設定したのちステップＳＴ１９に進む。ステップＳＴ１７では、曲順が最初である１曲目を再生曲に設定してステップＳＴ１９に進む。
【００４１】
また、ステップＳＴ１４において、操作された釦が逆方向スキップ釦であると判別されてステップＳＴ１８に進むと、ステップＳＴ１８では曲戻しを行い、曲順が一つ前の曲を再生リストから選択して、再生曲に設定したのち、ステップＳＴ１９に進む。ステップＳＴ１９では、再生曲の再生動作を開始する。なお、再生順序あるいは再生順序の逆順序で循環してスキップを行う場合、１曲目再生中に再生順序とは逆方向のスキップ動作が行われたときには、最終曲である曲「ＭＣ５」を再生曲に設定する曲戻しを行う。
【００４２】
このように、音声出力部１６から識別音ＳＵftや切換音ＳＵmcを出力することで、表示を参照しなくとも、出力された識別音ＳＵftや切換音ＳＵmcに基づき、曲順が最初とされている曲や所望の曲順の曲を選択することができる。特に、再生順序あるいは再生順序の逆順序で循環しながら連続スキップ動作が行われるときには、曲順が最初とされている曲を容易に判別できるので有用である。また、曲順が最初である曲が選択されたときには、この曲の再生が行われるので、曲順が最初とされている曲が選択されたことを確実に判別することができる。例えば、曲の演奏時間に応じてスキップ動作時における曲の切り換え速さが異なる場合、最初の曲「ＭＣ１」の演奏時間が短いと、スキップ動作時に曲「ＭＣ１」から曲「ＭＣ２」への切り換えが早く行われてしまい、曲順が最初である曲「ＭＣ１」を判別しにくくなってしまうおそれがある。しかし、曲「ＭＣ１」が選択されたときには、この曲の再生が行われるので、曲「ＭＣ１」の演奏時間に係らず、曲順が最初とされている曲が選択されたことを確実に判別することができる。また、音声再生装置に表示部を設けなくとも、最初の曲の判別や所望の曲順の曲を選択することができるので、音声再生装置を安価に構成できる。
【００４３】
なお、上述の形態では、半導体メモリを用いて構成された記録媒体を用いる場合を示したが、光や磁気を利用して記録や再生を行う光ディスクや磁気ディスク等のランダムアクセス可能な記録媒体を用いるものとしても良い。例えば、記録媒体としてコンパクトディスクやミニディスクを用いて、ＴＯＣの情報に基づきスキップ動作を行う場合も、上述したように識別音ＳＵftや切換音ＳＵmcの出力や、曲順が最初とされている曲の選択時に曲の再生を行うものとすれば、表示を参照しなくとも、曲順が最初とされている曲や所望の曲順の曲を選択することができる。
【００４４】
また、曲のデータに曲順を示す情報を有したヘッダが付加されている場合、このヘッダを検出して曲順を判別しながらスキップ動作を行い、識別音ＳＵftや切換音ＳＵmcの出力や、曲順が最初とされている曲を再生することもできる。
【００４５】
さらに、記録媒体に記録される音声コンテンツの信号は、楽曲の信号に限られるものではない。例えば、音声コンテンツとして議事録や音声メモ等を記録した場合にも、識別音ＳＵftや切換音ＳＵmcの出力、再生順序が最初である音声コンテンツが選択されたとき、この音声コンテンツの再生を行うことで、再生順序が最初の音声コンテンツや所望の再生順序の音声コンテンツを容易に選択できる。
【産業上の利用可能性】
【００４６】
以上のように、本発明によれば、再生順序が最初とされた音声コンテンツや所望の再生順序の音声コンテンツを、表示を用いることなく選択できるので、携帯型の安価な音声再生装置に適用している。
【図面の簡単な説明】
【００４７】
【図１】音声再生装置の構成を示す図である。
【図２】再生リストを示す図である。
【図３】スキップ動作を示すフローチャートである。
【図４】連続スキップ動作を説明するための図である。
【符号の説明】
【００４８】
１０・・・記録媒体、１１・・・インタフェース部、１２・・・制御部、１３・・・音声再生部、１４・・・Ｄ／Ａ変換部、１５・・・音声信号出力処理部、１６・・・音声出力部、１７・・・操作部
【図１】
2005078772.tif 000003
【図２】
2005078772.tif 000004
【図３】
2005078772.tif 000005
【図４】
2005078772.tif 000006
【手続補正書】
【提出日】平成16年9月28日(2004.9.28)
【手続補正１】
【補正対象書類名】特許請求の範囲
【補正対象項目名】全文
【補正方法】変更
【補正の内容】
【特許請求の範囲】
【請求項１】
再生順序にしたがって複数の音声コンテンツを再生する再生手段と、
前記再生手段で再生させる音声コンテンツをスキップするために操作される操作手段と、
前記操作手段の操作に応じて、前記音声コンテンツのスキップを前記再生順序あるいは前記再生順序の逆順序で循環して行い、新たに選択された音声コンテンツを前記再生手段で再生させる制御手段と、
音声出力手段を有し、
前記制御手段は、前記操作手段によって音声コンテンツをスキップさせる操作が行われて、再生順序が最初とされている音声コンテンツが選択されたとき、前記音声出力手段から前記再生順序が最初とされている音声コンテンツが選択されたことを判別可能とする識別音を出力させる
ことを特徴とする音声再生装置。
【請求項２】
前記制御手段は、前記再生順序が最初とされている音声コンテンツが選択されたとき、前記音声コンテンツのスキップを停止して、該音声コンテンツを前記再生手段で再生させる
ことを特徴とする請求項１記載の音声再生装置。
【請求項３】
前記制御手段は、前記音声コンテンツのスキップを行い、前記再生順序が最初とされている音声コンテンツと異なる音声コンテンツが新たに選択される毎に、前記識別音と異なる切換音を前記音声出力手段から出力させる
ことを特徴とする請求項１記載の音声再生装置。
【請求項４】
再生順序にしたがって複数の音声コンテンツを再生する再生手段と、
前記再生手段で再生させる音声コンテンツをスキップするために操作される操作手段と、
前記操作手段の操作に応じて、前記音声コンテンツのスキップを前記再生順序あるいは前記再生順序の逆順序で循環して行い、新たに選択された音声コンテンツを前記再生手段で再生させる制御手段と、
音声出力手段を有し、
前記制御手段は、前記操作手段によって音声コンテンツをスキップさせる操作が行われて、再生順序が最初とされている音声コンテンツが選択されたとき、前記音声コンテンツのスキップを停止して、該音声コンテンツを前記再生手段で再生させる
ことを特徴とする音声再生装置。
【請求項５】
再生順序にしたがって複数の音声コンテンツを再生する音声再生方法において、
前記再生させる音声コンテンツを、前記再生順序あるいは前記再生順序の逆順序で循環しながらスキップさせる操作が行われたか否かを判別する判別工程と、
前記判別工程で、前記音声コンテンツをスキップさせる操作が行われたと判別された場合、前記再生順序あるいは前記再生順序の逆順序で循環して前記音声コンテンツのスキップを行い、再生順序が最初とされている音声コンテンツが選択されたとき、前記再生順序が最初とされている音声コンテンツが選択されたことを判別可能とする識別音を出力する識別音出力工程を設けた
ことを特徴とする音声再生方法。
【請求項６】
前記再生順序が最初とされている音声コンテンツが選択されたとき、前記音声コンテンツのスキップを停止して、該音声コンテンツを前記再生する再生工程を設けた
ことを特徴とする請求項５記載の音声再生方法。
【請求項７】
前記音声コンテンツのスキップを行い、前記再生順序が最初とされている音声コンテンツと異なる音声コンテンツが新たに選択される毎に、前記識別音と異なる切換音を出力させる切換音出力工程を設けた
ことを特徴とする請求項５記載の音声再生方法。
【請求項８】
再生順序にしたがって複数の音声コンテンツを再生する音声再生方法において、
前記再生させる音声コンテンツを、前記再生順序あるいは前記再生順序の逆順序で循環しながらスキップさせる操作が行われたか否かを判別する判別工程と、
前記判別工程で、前記音声コンテンツをスキップさせる操作が行われたと判別された場合、前記再生順序あるいは前記再生順序の逆順序で循環して前記音声コンテンツのスキップを行い、再生順序が最初とされている音声コンテンツが選択されたとき、前記音声コンテンツのスキップを停止して、該音声コンテンツを再生させる再生工程を設けた
ことを特徴とする音声再生方法。
【手続補正２】
【補正対象書類名】明細書
【補正対象項目名】０００６
【補正方法】変更
【補正の内容】
【０００６】
この発明に係る音声再生装置は、再生順序にしたがって複数の音声コンテンツを再生する再生手段と、再生手段で再生させる音声コンテンツをスキップするために操作される操作手段と、操作手段の操作に応じて、音声コンテンツのスキップを再生順序あるいは再生順序の逆順序で循環して行い、新たに選択された音声コンテンツを再生手段で再生させる制御手段と、音声出力手段を有し、制御手段は、操作手段によって音声コンテンツをスキップさせる操作が行われて、再生順序が最初とされている音声コンテンツが選択されたとき、音声出力手段から再生順序が最初とされている音声コンテンツが選択されたことを判別可能とする識別音を出力させるものである。
【手続補正３】
【補正対象書類名】明細書
【補正対象項目名】０００７
【補正方法】変更
【補正の内容】
【０００７】
また、再生順序にしたがって複数の音声コンテンツを再生する再生手段と、前記再生手段で再生させる音声コンテンツをスキップするために操作される操作手段と、前記操作手段の操作に応じて、前記音声コンテンツのスキップを前記再生順序あるいは前記再生順序の逆順序で循環して行い、新たに選択された音声コンテンツを前記再生手段で再生させる制御手段と、音声出力手段を有し、前記制御手段は、前記操作手段によって音声コンテンツをスキップさせる操作が行われて、再生順序が最初とされている音声コンテンツが選択されたとき、前記音声コンテンツのスキップを停止して、該音声コンテンツを前記再生手段で再生させるものである。
【手続補正４】
【補正対象書類名】明細書
【補正対象項目名】０００８
【補正方法】変更
【補正の内容】
【０００８】
この発明に係る音声再生方法は、再生順序にしたがって複数の音声コンテンツを再生する音声再生方法において、再生させる音声コンテンツを、再生順序あるいは再生順序の逆順序で循環しながらスキップさせる操作が行われたか否かを判別する判別工程と、判別工程で音声コンテンツをスキップさせる操作が行われたと判別された場合、再生順序あるいは再生順序の逆順序で循環して音声コンテンツのスキップを行い、再生順序が最初とされている音声コンテンツが選択されたとき、再生順序が最初とされている音声コンテンツが選択されたことを判別可能とする識別音を出力する識別音出力工程を設けたものである。
【手続補正５】
【補正対象書類名】明細書
【補正対象項目名】０００９
【補正方法】変更
【補正の内容】
【０００９】
また、再生順序にしたがって複数の音声コンテンツを再生する音声再生方法において、再生させる音声コンテンツを、再生順序あるいは再生順序の逆順序で循環しながらスキップさせる操作が行われたか否かを判別する判別工程と、判別工程で音声コンテンツをスキップさせる操作が行われたと判別された場合、再生順序あるいは再生順序の逆順序で循環して音声コンテンツのスキップを行い、再生順序が最初とされている音声コンテンツが選択されたとき、音声コンテンツのスキップを停止して、該音声コンテンツを再生させる再生工程を設けたものである。
【手続補正６】
【補正対象書類名】図面
【補正対象項目名】図１
【補正方法】変更
【補正の内容】
【図１】
2005078772.tif 000007